(57)【要約】【課題】タッチスクリーンセンサ集積回路、その動作方法、及びそれを含むシステムを提供する。【解決手段】本発明の実施形態によるタッチスクリーンセンサ集積回路の動作方法は、変調信号に応答して、仮想キャパシタンスによって生成された複数の電流信号を複数本のピンのそれぞれを通じて受信する段階と、複数の電流信号を感知して、複数の電流信号のそれぞれに対応する複数の感知電流信号を生成する段階と、複数本のピンのうち２本のピンに対応する感知電流信号を減算して、減算電流信号を生成する段階と、を含む。【選択図】      図３
2015076103.tif 000002
【特許請求の範囲】
【請求項１】
それぞれが変調信号に応答して、仮想キャパシタンスによって生成された複数の電流信号を受信する複数本のピンと、
前記複数の電流信号を感知して、前記複数の電流信号のそれぞれに対応する複数の感知電流信号を生成する電流伝達器と、
前記複数本のピンのうち２本のピンに対応する前記感知電流信号を減算して、減算電流信号を生成するミキサと、
を含むタッチスクリーンセンサ集積回路。
【請求項２】
前記複数の感知電流信号は、第１感知電流信号と前記第１感知電流信号のそれぞれに対応する第２感知電流信号とを含み、
前記第１感知電流信号のそれぞれの位相は、前記第２感知電流信号のそれぞれの位相と反対である請求項１に記載のタッチスクリーンセンサ集積回路。
【請求項３】
前記電流伝達器は、前記複数本のピンのそれぞれに対応する複数の単位電流伝達器を含み、
前記複数の単位電流伝達器のそれぞれは、
前記複数の電流信号による第１制御電圧と第２制御電圧とを生成する演算増幅器と、
前記第１制御電圧と前記第２制御電圧とによって、前記第１感知電流信号と前記第２感知電流信号とを生成する電流複製回路と、
を含む請求項２に記載のタッチスクリーンセンサ集積回路。
【請求項４】
前記ミキサは、
復調信号によって、前記２本のピンのうち何れか１つに対応する前記第１感知電流信号と前記２本のピンのうち他の１つに対応する前記第２感知電流信号とを合算する請求項２に記載のタッチスクリーンセンサ集積回路。
【請求項５】
前記２本のピンは、それぞれ互いに隣接するチャネルに対応するピンである請求項４に記載のタッチスクリーンセンサ集積回路。
【請求項６】
前記２本のピンは、最外郭チャネルに該当するピンである請求項４に記載のタッチスクリーンセンサ集積回路。
【請求項７】
前記減算電流信号のそれぞれに正弦波を乗算して、ファイン電流信号を生成する正弦波形リサンプラをさらに含む請求項１に記載のタッチスクリーンセンサ集積回路。
【請求項８】
前記正弦波形リサンプラは、前記減算電流信号のそれぞれに対応する複数の単位正弦波形リサンプラを含み、
前記単位正弦波形リサンプラのそれぞれは、
正弦波形デジタル信号によって動作する複数のトランジスタを含むＲ−２Ｒ梯形ＤＡＣとして具現される請求項７に記載のタッチスクリーンセンサ集積回路。
【請求項９】
前記ファイン電流信号のそれぞれに対応する出力電圧信号を生成する電流−電圧変換器をさらに含む請求項７に記載のタッチスクリーンセンサ集積回路。
【請求項１０】
前記出力電圧信号をデジタル電圧信号に変換するＡＤＣと、
前記デジタル電圧信号を順次に積分して、前記複数の電流信号に対応するタッチ電圧信号を生成するＭＣＵと、
をさらに含む請求項９に記載のタッチスクリーンセンサ集積回路。
【請求項１１】
前記複数本のピンは、タッチスクリーンパネルの第１感知ラインないし第ｍ感知ラインにそれぞれ連結される第１ピンないし第ｍピンを含み、
前記ＭＣＵは、前記第１ピンないし前記第ｍピンに対応するデジタル電圧信号を積分した結果を用いて、前記順次に積分されたデジタル電圧信号を補償する請求項１０に記載のタッチスクリーンセンサ集積回路。
【請求項１２】
それぞれが変調信号に応答して、仮想キャパシタンスによって生成された複数の電流信号を受信する複数本のピンと、
前記複数の電流信号を感知して、前記複数の電流信号のそれぞれに対応する複数の感知電流信号を生成する電流伝達器と、
モード選択信号によって、前記複数本のピンのうち２本のピンに対応する前記感知電流信号を減算して、減算電流信号を生成するか、前記複数の感知電流信号を出力するミキサと、
を含むタッチスクリーンセンサ集積回路。
【請求項１３】
前記複数の感知電流信号は、第１感知電流信号と前記第１感知電流信号のそれぞれに対応する第２感知電流信号とを含み、
前記第１感知電流信号のそれぞれの位相は、前記第２感知電流信号のそれぞれの位相と反対である請求項１２に記載のタッチスクリーンセンサ集積回路。
【請求項１４】
前記電流伝達器は、前記複数本のピンのそれぞれに対応する複数の単位電流伝達器を含み、
前記複数の単位電流伝達器のそれぞれは、
前記複数の電流信号による第１制御電圧と第２制御電圧とを生成する演算増幅器と、
前記第１制御電圧と前記第２制御電圧とによって、前記第１感知電流信号と前記第２感知電流信号とを生成する電流複製回路と、
を含む請求項１３に記載のタッチスクリーンセンサ集積回路。
【請求項１５】
前記ミキサは、
復調信号によって、前記２本のピンのうち何れか１つに対応する前記第１感知電流信号と前記２本のピンのうち他の１つに対応する前記第２感知電流信号とを合算する請求項１３に記載のタッチスクリーンセンサ集積回路。
【請求項１６】
前記２本のピンは、それぞれ互いに隣接するチャネルに対応するピンである請求項１５に記載のタッチスクリーンセンサ集積回路。
【請求項１７】
それぞれの受信された電流信号に対応する感知電流信号対を生成する電流伝達器と、
前記感知電流信号対を減算して、複数の減算電流信号を生成するミキサと、
前記減算電流信号のそれぞれに正弦波を乗算して、複数のファイン電流信号を生成する正弦波形リサンプラと、
前記ファイン電流信号の高周波成分（ｈｉｇｈ−ｆｒｅｑｕｅｎｃｙ  ｃｏｍｐｏｎｅｎｔ）を除去して、複数の出力電圧信号を生成する電流−電圧変換器と、
を含むタッチスクリーンセンサ集積回路。
【請求項１８】
前記出力電圧信号をデジタル電圧信号に変換するＡＤＣと、
前記デジタル電圧信号を積分して、前記受信された電流信号に対応するタッチ電圧信号を生成するＭＣＵと、
をさらに含む請求項１７に記載のタッチスクリーンセンサ集積回路。
【発明の詳細な説明】
【技術分野】
【０００１】
本発明の実施形態は、タッチスクリーンセンサ集積回路、その動作方法、及びそれを含むシステムに係り、より詳細には、ノイズを効果的に除去して、タッチセンシングの品質を高めうるタッチスクリーンセンサ集積回路、その動作方法、及びそれを含むシステムに関する。
【背景技術】
【０００２】
最近、静電式タッチシステム（ｃａｐａｃｔｉｖｅ−ｔｙｐｅ  ｔｏｕｃｈ  ｓｙｓｔｅｍ）は、スマートフォンまたはタブレットＰＣ（ｔａｂｌｅｔ  ｐｅｒｓｏｎａｌ  ｃｏｍｐｕｔｅｒ）のようなモバイルアプリケーション（ｍｏｂｉｌｅ  ａｐｐｌｉｃａｔｉｏｎ）で広く適用されている。その理由は、前記システムは、高耐久力（ｈｉｇｈ  ｄｕｒａｂｉｌｉｔｙ）と優れた光透過率（ｌｉｇｈｔ  ｔｒａｎｓｍｉｔｔａｎｃｅ）とを有し、マルチタッチとソフトタッチ特性（ｍｕｌｔｉ−ｔｏｕｃｈ  ｆｅａｔｕｒｅｓａｎｄ  ｓｏｆｔ−ｔｏｕｃｈ  ｆｅａｔｕｒｅｓ）を示しているためである。
【０００３】
一方、静電式タッチシステムは、タッチコントローラの多様な性能、例えば、真のマルチタッチ検出（ｔｒｕｅ  ｍｕｌｔｉ−ｔｏｕｃｈ  ｄｅｔｅｃｔｉｏｎ）、高ノイズ免疫力（ｈｉｇｈ  ｎｏｉｓｅ−ｉｍｍｕｎｉｔｙ）、及び低消費電力（ｌｏｗ  ｐｏｗｅｒ  ｃｏｎｓｕｍｐｔｉｏｎ）などを要求する。したがって、現在の静電式タッチシステムにおけるニーズを満足させることができるタッチコントローラについての研究が必要である。
【先行技術文献】
【特許文献】
【０００４】
【特許文献１】特開２０１２−２３４４７３号公報
【特許文献２】特開２０１１−１１３１８８号公報
【特許文献３】米国特許第７８００５９４号公報
【特許文献４】韓国特許公開２００６−００９９１９８号公報
【特許文献５】米国特許第７８７６３１１号公報
【特許文献６】米国特許公開第２０１１−０２１０９４１号公報
【特許文献７】国際公開２０１０−０４８２２６号公報
【特許文献８】米国特許公開第２０１１−０１１５７２９号公報
【特許文献９】米国特許公開第２０１３−００６３３９５号公報
【発明の概要】
【発明が解決しようとする課題】
【０００５】
本発明が解決しようとする技術的な課題は、タッチセンシング過程で発生するノイズを効果的に除去することができるタッチスクリーンセンサ集積回路、その動作方法、及びそれを含むシステムを提供することにある。
【課題を解決するための手段】
【０００６】
本発明の実施形態によるタッチスクリーンセンサ集積回路の動作方法は、変調信号に応答して、仮想キャパシタンス（ｍｕｔｕａｌ  ｃａｐａｃｉｔａｎｃｅ）によって生成された複数の電流信号を複数本のピンのそれぞれを通じて受信する段階と、前記複数の電流信号を感知して、前記複数の電流信号のそれぞれに対応する複数の感知電流信号を生成する段階と、前記複数本のピンのうち２本のピンに対応する前記感知電流信号を減算して、減算電流信号を生成する段階と、を含む。
【０００７】
実施形態によって、前記複数の感知電流信号は、第１感知電流信号と前記第１感知電流信号のそれぞれに対応する第２感知電流信号とを含み、前記第１感知電流信号のそれぞれの位相は、前記第２感知電流信号のそれぞれの位相と反対である。
実施形態によって、前記減算電流信号を生成する段階は、復調信号によって、前記２本のピンのうち何れか１つに対応する前記第１感知電流信号と前記２本のピンのうち他の１つに対応する前記第２感知電流信号とを合算する段階を含む。
実施形態によって、前記２本のピンは、それぞれ互いに隣接するチャネルに対応するピンである。
【０００８】
実施形態によって、前記２本のピンは、最外郭チャネルに該当するピンである。
実施形態によって、前記減算電流信号のそれぞれに正弦波（ｓｉｎｅ  ｗａｖｅ）を乗算（ｐｒｏｄｕｃｔ）して、ファイン電流信号を生成する段階をさらに含む。
実施形態によって、前記ファイン電流信号のそれぞれに対応する出力電圧信号を生成する段階をさらに含む。
実施形態によって、前記出力電圧信号を生成する段階は、前記ファイン電流信号に含まれた高周波成分を除去する段階を含む。
【０００９】
本発明の実施形態によるタッチスクリーンセンサ集積回路は、それぞれが変調信号に応答して、仮想キャパシタンスによって生成された複数の電流信号を受信する複数本のピンと、前記複数の電流信号を感知して、前記複数の電流信号のそれぞれに対応する複数の感知電流信号を生成する電流伝達器と、前記複数本のピンのうち２本のピンに対応する前記感知電流信号を減算して、減算電流信号を生成するミキサと、を含む。
【００１０】
実施形態によって、前記複数の感知電流信号は、第１感知電流信号と前記第１感知電流信号のそれぞれに対応する第２感知電流信号とを含み、前記第１感知電流信号のそれぞれの位相は、前記第２感知電流信号のそれぞれの位相と反対である。
実施形態によって、前記電流伝達器は、前記複数本のピンのそれぞれに対応する複数の単位電流伝達器を含み、前記複数の単位電流伝達器のそれぞれは、前記複数の電流信号による第１制御電圧と第２制御電圧とを生成する演算増幅器と、前記第１制御電圧と前記第２制御電圧とによって、前記第１感知電流信号と前記第２感知電流信号とを生成する電流複製回路と、を含む。
【００１１】
実施形態によって、前記ミキサは、復調信号によって、前記２本のピンのうち何れか１つに対応する前記第１感知電流信号と前記２本のピンのうち他の１つに対応する前記第２感知電流信号とを合算する。
実施形態によって、前記２本のピンは、それぞれ互いに隣接するチャネルに対応するピンである。
実施形態によって、前記２本のピンは、最外郭チャネルに該当するピンである。
実施形態によって、前記減算電流信号のそれぞれに正弦波を乗算して、ファイン電流信号を生成する正弦波形リサンプラをさらに含む。
【００１２】
実施形態によって、前記正弦波形リサンプラは、前記減算電流信号のそれぞれに対応する複数の単位正弦波形リサンプラを含み、前記単位正弦波形リサンプラのそれぞれは、正弦波形デジタル信号によって動作する複数のトランジスタを含むＲ−２Ｒ梯形ＤＡＣとして具現される。
実施形態によって、前記ファイン電流信号のそれぞれに対応する出力電圧信号を生成する電流−電圧変換器をさらに含む。
【００１３】
実施形態によって、前記出力電圧信号をデジタル電圧信号に変換するＡＤＣと、前記デジタル電圧信号を順次に積分して、前記複数の電流信号に対応するタッチ電圧信号を生成するＭＣＵと、をさらに含む。
実施形態によって、前記複数本のピンは、タッチスクリーンパネルの第１感知ラインないし第ｍ感知ラインにそれぞれ連結される第１ピンないし第ｍピンを含み、前記ＭＣＵは、前記第１ピンないし前記第ｍピンに対応するデジタル電圧信号を積分した結果を用いて、前記順次に積分されたデジタル電圧信号を補償する。
【００１４】
本発明の実施形態によるタッチスクリーンセンサ集積回路は、それぞれが変調信号に応答して、仮想キャパシタンスによって生成された複数の電流信号を受信する複数本のピンと、前記複数の電流信号を感知して、前記複数の電流信号のそれぞれに対応する複数の感知電流信号を生成する電流伝達器と、モード選択信号によって、前記複数本のピンのうち２本のピンに対応する前記感知電流信号を減算して、減算電流信号を生成するか、前記複数の感知電流信号を出力するミキサと、を含む。
【００１５】
実施形態によって、前記複数の感知電流信号は、第１感知電流信号と前記第１感知電流信号のそれぞれに対応する第２感知電流信号とを含み、前記第１感知電流信号のそれぞれの位相は、前記第２感知電流信号のそれぞれの位相と反対である。
実施形態によって、前記電流伝達器は、前記複数本のピンのそれぞれに対応する複数の単位電流伝達器を含み、前記複数の単位電流伝達器のそれぞれは、前記複数の電流信号による第１制御電圧と第２制御電圧とを生成する演算増幅器と、前記第１制御電圧と前記第２制御電圧とによって、前記第１感知電流信号と前記第２感知電流信号とを生成する電流複製回路と、を含む。
【００１６】
実施形態によって、前記ミキサは、復調信号によって、前記２本のピンのうち何れか１つに対応する前記第１感知電流信号と前記２本のピンのうち他の１つに対応する前記第２感知電流信号とを合算する。
実施形態によって、前記２本のピンは、それぞれ互いに隣接するチャネルに対応するピンである。
【００１７】
本発明の実施形態によるシステムは、それぞれが変調信号に応答して、仮想キャパシタンスによって生成された複数の電流信号を受信するタッチスクリーンセンサ集積回路と、前記タッチスクリーンセンサ集積回路と通信することができるホストコントローラと、を含み、前記タッチスクリーンセンサ集積回路は、前記複数の電流信号を感知して、前記複数の電流信号のそれぞれに対応する複数の感知電流信号を生成する電流伝達器と、複数本のピンのうち２本のピンに対応する前記感知電流信号を減算して、減算電流信号を生成するミキサと、を含む。
【発明の効果】
【００１８】
本発明の実施形態によるタッチスクリーンセンサ集積回路によれば、電流次元で電流信号どうしの減算を通じて出力信号を生成することによって、共通のノイズ成分が除去され、入出力間のディレイが減少し、ダイナミックレンジが増加しうる。
また、本発明の実施形態によるタッチスクリーンセンサ集積回路によれば、正弦波を用いて高周波ノイズが効果的に除去される。
【図面の簡単な説明】
【００１９】
【図１】本発明の実施形態によるタッチスクリーンセンサ集積回路（ＩＣ）を含むシステムの概略的なブロック図。
【図２】図１に示され、ダイヤモンドパターンを有するシングルレイヤ静電式スクリーンタッチパネルを示す図。
【図３】図１に示されたタッチスクリーンセンサＩＣの概略的なブロック図。
【図４】図３に示されたドライバ回路ブロックの概略的なブロック図。
【図５】図３に示されたセンサ回路ブロックを詳しく示すブロック図。
【図６】図５に示された単位電流伝達器を詳しく示すブロック図。
【図７】図６に示された演算増幅器を詳しく示すブロック図。
【図８Ａ】図６に示された電流複製回路を詳しく示すブロック図。
【図８Ｂ】図８Ａに示された第１スイッチの動作を説明する図。
【図９】図８Ａに示された電流複製回路に印加される複製回路制御信号のタイミング図。
【図１０】図６に示された単位電流伝達器の入出力信号のタイミング図。
【図１１】図５に示されたミキサを詳しく示すブロック図。
【図１２】図１１に示されたミキサのシングルモードでの動作を説明する図。
【図１３】図１１に示されたミキサの差動モードでの動作を説明する図。
【図１４】図５に示された単位正弦波形リサンプラを示す図。
【図１５】図１４に示された単位正弦波形リサンプラの動作を説明するタイミング図。
【図１６】図５に示された単位電流−電圧変換器を示す図。
【図１７】図１６に示された単位電流−電圧変換器の動作を説明するタイミング図。
【図１８】図３に示されたＭＣＵの動作を説明するグラフ。
【図１９】図１８に示されたグラフによるＭＣＵの動作を説明する図表。
【図２０】図３に示されたタッチスクリーンセンサＩＣの動作方法を説明するフローチャート。
【発明を実施するための形態】
【００２０】
以下、添付した図面を参照して、本発明の望ましい実施形態を説明することによって、本発明を詳しく説明する。
図１は、本発明の実施形態によるタッチスクリーンセンサ集積回路（ＩＣ）を含むシステムの概略的なブロック図を示す。図２は、図１に示され、ダイヤモンドパターンを有するシングルレイヤ静電式スクリーンタッチパネルを示す。
【００２１】
図１を参照すれば、システム１０は、タッチスクリーンパネル２０、タッチスクリーンセンサＩＣ３０及びホストコントローラ（または、アプリケーションプロセッサ（Ａｐｐｌｉｃａｔｉｏｎ  Ｐｒｏｃｅｓｓｏｒ；ＡＰ）４０を含む。図１では、説明の便宜上、ディスプレイパネルと、このディスプレイパネルを駆動するディスプレイパネルドライバＩＣは、別途に図示していない。
システム１０は、携帯電話、スマートフォン（ｓｍａｒｔ  ｐｈｏｎｅ）、タブレットＰＣ、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、またはＭＰ３プレーヤのようなモバイルアプリケーションであり得る。
【００２２】
図２に示したように、タッチスクリーンパネル２０は、ダイヤモンドパターン（ｄｉａｍｏｎｄ  ｐａｔｔｅｒｎ）を有するシングルレイヤ静電式タッチスクリーンパネル（ｓｉｎｇｌｅ−ｌａｙｅｒ  ｃａｐａｃｉｔｉｖｅ  ｔｏｕｃｈ  ｓｃｒｅｅｎ  ｐａｎｅｌ）として具現可能である。
シングルレイヤ静電式タッチスクリーンパネルは、複数の駆動ラインＸ１〜Ｘｎ（ｎは、自然数、例えば、ｎ＝１８）と複数の感知ラインＹ１〜Ｙｍ（ｍは、自然数、例えば、ｍ＝１１）とを含む。駆動ラインは、水平ラインと呼ばれ、感知ラインは、垂直ラインと呼ばれる。また、複数の感知ラインＹ１〜Ｙｍは、それぞれ第１チャンネルないし第ｍチャンネルと呼ばれる。
【００２３】
実施形態によって、図１に示したように、複数の駆動ラインＸ１〜Ｘｎのうちから一部の駆動ライン、例えば、奇数番目の駆動ラインのそれぞれは、タッチスクリーンパネル２０の左側に供給される駆動信号のそれぞれを伝送し、複数の駆動ラインＸ１〜Ｘｎのうちから残りの一部の駆動ライン、例えば、偶数番目の駆動ラインのそれぞれは、タッチスクリーンパネル２０の右側に供給される駆動信号のそれぞれを伝送しうる。
しかし、他の実施形態によって、複数の駆動ラインＸ１〜Ｘｎのそれぞれは、タッチスクリーンパネル２０の左側または右側に供給される多数の駆動信号のそれぞれを伝送できるように配置される。
【００２４】
複数の駆動ラインＸ１〜Ｘｎのそれぞれと複数の感知ラインＹ１〜Ｙｍのそれぞれは、ＣＭＯＳ技術でビア工程（ｖｉａ  ｐｒｏｃｅｓｓ）と類似したブリッジ接続（ｂｒｉｄｇｅ  ｃｏｎｎｅｃｔｉｏｎ）によって電気的に互いに分離される。
複数の駆動ラインＸ１〜Ｘｎのそれぞれと複数の感知ラインＹ１〜Ｙｍのそれぞれとの交点（ｃｒｏｓｓｉｎｇ  ｐｏｉｎｔ）には、図１と図２とに示したように、相互静電容量ノード（ｍｕｔｕａｌ  ｃａｐａｃｉｔａｎｃｅ  ｎｏｄｅ；ＭＣ）が形成される。
したがって、タッチスクリーンパネル２０からｎ＊ｍの２次元相互静電容量プロファイル（ｍｕｔｕａｌ  ｃａｐａｃｉｔａｎｃｅ  ｐｒｏｆｉｌｅ）が獲得される。
【００２５】
指または伝導性の物質が静電式タッチスクリーンパネル２０をタッチする時、前記静電式タッチスクリーンパネル２０の相互静電容量プロファイルは変わる。したがって、相互静電容量プロファイルの変化によって、タッチスクリーンセンサＩＣ３０は、タッチポイント（ｔｏｕｃｈ  ｐｏｉｎｔ）を正確に探すことができる。
すなわち、タッチスクリーンセンサＩＣ３０は、複数の駆動ラインＸ１〜Ｘｎのそれぞれに駆動信号を供給し、複数の感知ラインＹ１〜Ｙｍのそれぞれから出力された電流信号を処理し、該処理結果による信号をホストコントローラ４０に伝送する。
タッチスクリーンセンサＩＣ３０の構造と動作は、図３ないし図２０を参照して詳しく説明される。
【００２６】
図３は、図１に示されたタッチスクリーンセンサＩＣの概略的なブロック図を示す。図４は、図３に示されたドライバ回路ブロックの概略的なブロック図を示す。
図３を参照すれば、タッチスクリーンセンサＩＣ３０は、電力発生器３１、複数本のピン９０、ドライバ回路ブロック１００、センサ回路ブロック２００、コントロールロジック３００、オシレータ３０１、遅延テーブル（より正確には、遅延テーブルを保存するメモリ）４００、アナログ−デジタル変換器ブロック５１０、及びＭＣＵ（Ｍｉｃｒｏ  Ｃｏｎｔｒｏｌｌｅｒ  Ｕｎｉｔ）５２０を含む。
【００２７】
電力発生器３１は、外部から入力される複数の電圧ＡＶＤＤ、ＶＤＤのそれぞれを用いてタッチスクリーンセンサＩＣ３０の内部で必要な電力または電圧を生成する。例えば、電力発生器３１は、各構成要素１００、２００及び５１０の動作に必要な電圧を生成するためのＤＣ−ＤＣ変換器と、コントロールロジック回路３００の動作に必要な電圧を生成するＬＤＯレギュレータ（ｌｏｗ−ｄｒｏｐｏｕｔ  ｒｅｇｕｌａｔｏｒ）と、を含みうる。
【００２８】
複数本のピン９０は、タッチスクリーンパネル２０またはホストコントローラ４０などと接続されて、各種信号を送受信することができる。例えば、複数本のピン９０は、タッチスクリーンパネル２０の複数の駆動ラインＸ１〜Ｘｎのそれぞれ及び複数の感知ラインＹ１〜Ｙｍのそれぞれと連結されて、複数の駆動信号ＤＲＶ１〜ＤＲＶｎ及び複数の電流信号ＩＳ１〜ＩＳｍをそれぞれ送受信することができる。
【００２９】
ドライバ回路ブロック１００は、コントロールロジック回路３００から出力されたマスク制御信号ＭＳＫとコントロールロジック回路３００から出力された複数の駆動信号ＤＲＶとに応答して、複数の駆動ラインＸ１〜Ｘｎのそれぞれに駆動信号を供給または遮断することができる。
【００３０】
図４を参照すれば、送信器（ｔｒａｎｓｍｉｔｔｅｒ）の機能を行うドライバ回路ブロック１００は、複数のマスク回路１１０＿１〜１１０＿ｎと複数のドライバ１２０＿１〜１２０＿ｎとを含む。複数のマスク回路１１０＿１〜１１０＿ｎのそれぞれは、マスク制御信号ＭＳＫに応答して、複数の駆動信号ＤＲＶ１〜ＤＲＶｎのそれぞれを複数のドライバ１２０＿１〜１２０＿ｎのそれぞれに伝送するか、またはマスク（または、遮断）することができる。
【００３１】
例えば、複数の駆動信号ＤＲＶ１〜ＤＲＶｎのそれぞれは、図４に示したように、互いに重畳されずに順次に生成された矩形波であり得る。複数の駆動信号ＤＲＶは、複数の駆動信号ＤＲＶ１〜ＤＲＶｎを含む。複数の駆動信号ＤＲＶは、変調信号（ｍｏｄｕｌａｔｉｏｎ  ｓｉｇｎａｌ）に該当する。
【００３２】
例えば、複数のマスク回路１１０＿１〜１１０＿ｎのそれぞれは、ＡＮＤゲートとして具現可能である。したがって、マスク制御信号ＭＳＫがロジック（ｌｏｇｉｃ）１または第２レベル、例えば、ハイレベル（ｈｉｇｈ  ｌｅｖｅｌ）である時、ＡＮＤゲートは、駆動信号ＤＲＶ１〜ＤＲＶｍをドライバ１２０＿１〜１２０＿ｎに伝送し、マスク制御信号ＭＳＫがロジック０または第１レベル、例えば、ローレベル（ｌｏｗ  ｌｅｖｅｌ）である時、ＡＮＤゲートは、駆動信号ＤＲＶ１〜ＤＲＶｍがドライバ１２０＿１〜１２０＿ｎに伝送されることをマスク（または、遮断）する。
【００３３】
例えば、複数のドライバ１２０＿１〜１２０＿ｎのそれぞれは、インバータチェーン（ｉｎｖｅｒｔｅｒ  ｃｈａｉｎ）として具現可能である。複数のドライバ１２０＿１〜１２０＿ｎのそれぞれの出力端子は、複数の駆動ラインＸ１〜Ｘｎのそれぞれに接続される。
例えば、ドライバ回路ブロック１００は、第２レベル、すなわち、ハイレベルを有するマスク制御信号ＭＳＫに応答して、複数の駆動信号（ＤＲＶｉ；１≦ｉ≦ｎ）のそれぞれを複数の駆動ラインＸ１〜Ｘｎのそれぞれに順次に供給する。
【００３４】
しかし、ドライバ回路ブロック１００は、第１レベル、すなわち、ローレベルを有するマスク制御信号ＭＳＫに応答して、複数の駆動信号（ＤＲＶｉ；１≦ｉ≦ｎ）が複数の駆動ラインＸ１〜Ｘｎに供給されることを遮断する。
センサ回路ブロック２００は、コントロールロジック３００の制御によって複数の感知ラインＹ１〜Ｙｍのそれぞれから出力された電流信号を処理し、該処理結果による出力電圧信号（ＯＵＴ）を生成することができる。図５を参照して、センサ回路ブロック２００の詳細な構成を説明する。
【００３５】
コントロールロジック３００は、タッチスクリーンセンサＩＣ３０の全般的な動作を制御する。コントロールロジック３００は、複数の構成要素３１、１００、２００、３０１、４００、５１０及び５２０のうちから少なくとも１つの動作を制御することができる。
コントロールロジック３００は、図５に示されたセンサ回路ブロック２００の電流伝達器（ｃｕｒｒｅｎｔ  ｃｏｎｖｅｙｏｒ）２１０を制御するための複製回路制御信号ＣＣＳ、センサ回路ブロック２００のミキサ（ｍｉｘｅｒ）２３０を制御するためのミキサ制御信号ＭＣＳ、及びセンサ回路ブロック２００の正弦波形リサンプラ（ｓｉｎｅ  ｓｈａｐｅ  ｒｅ−ｓａｍｐｌｅｒ）２５０を制御するための正弦波形信号ＳＰＳを生成することができる。
【００３６】
コントロールロジック３００は、外部から入力された垂直同期信号ＶＳＹＮＣに同期して動作するか、垂直同期信号ＶＳＹＮＣと無関係に動作することができる。
オシレータ３０１は、オシレーション信号ＯＳＣをコントロールロジック３００に供給することができる。コントロールロジック３００は、オシレーション信号ＯＳＣを用いて複数の駆動信号及び制御信号ＤＲＶ、ＭＳＫ、ＣＣＳ、ＭＣＳ及びＳＰＳを生成することができる。
遅延テーブル４００は、センサ回路ブロック２００の位相遅延を調節するための位相遅延情報を保存することができる。遅延テーブル４００に保存された位相遅延情報は、コントロールロジック３００によって参照される。遅延テーブル４００は、不揮発性メモリに保存されることもあり、ＳＲＡＭのような揮発性メモリに保存されることもある。
【００３７】
実施形態によって、コントロールロジック３００は、この位相遅延情報を参照してセンサ回路ブロック２００を制御するための制御信号ＣＣＳ、ＭＣＳ及びＳＰＳのタイミングを調節することができる。すなわち、コントロールロジック３００は、複数の駆動信号ＤＲＶ１〜ＤＲＶｎがタッチスクリーンパネル２０を経て複数の電流信号ＩＳ１＿１〜ＩＳｍ＿２に出力される間のディレイ（ｄｅｌａｙ）を含めたディレイを、前記位相遅延情報を用いて制御信号ＣＣＳ、ＭＣＳ及びＳＰＳのタイミングを調節することができる。
【００３８】
アナログ−デジタル変換器ブロック５１０は、複数のアナログ−デジタル変換器を含み、これら複数のアナログ−デジタル変換器のそれぞれは、複数の単位電流−電圧変換器（ｃｕｒｒｅｎｔ−ｖｏｌｔａｇｅ  ｃｏｎｖｅｒｔｅｒ）２７０＿１〜２７０＿ｍから出力されたそれぞれの出力電圧信号ＯＵＴ１〜ＯＵＴｍをデジタル電圧信号ＤＶＳに変換する。
これら複数のアナログ−デジタル変換器のそれぞれは、ＳＡＲ  ＡＤＣ（Ｓｕｃｃｅｓｓｉｖｅ  Ａｐｐｒｏｘｉｍａｔｉｏｎ  Ａｎａｌｏｇ−ｔｏ−Ｄｉｇｉｔａｌ  Ｃｏｎｖｅｒｔｅｒ）として具現可能である。
【００３９】
ＭＣＵ５２０は、アナログ−デジタル変換器ブロック５１０から出力されたデジタル電圧信号ＤＶＳを順次に積分し、該積分結果から複数の電流信号ＩＳ１〜ＩＳｍに対応するタッチ電圧信号ＴＶＳを生成することができる。タッチ電圧信号ＴＶＳは、タッチが発生したＸ座標とＹ座標、及びそれぞれの座標に対するタッチレベルについての情報を含みうる。ＭＣＵ５２０は、タッチ電圧信号ＴＶＳをホストコントローラ４０に伝送する。例えば、ＭＣＵ５２０は、Ｉ２Ｃ（Ｉｎｔｅｒ−Ｉｎｔｅｇｒａｔｅｄ  Ｃｉｒｃｕｉｔ）を通じてタッチ電圧信号ＴＶＳをホストコントローラ４０に伝送しうる。
【００４０】
また、複数の感知ラインＹ１〜Ｙｍのそれぞれと連結された複数本のピンを第１ピンないし第ｍピン９２＿１〜９２＿ｍとすれば、ＭＣＵ５２０は、第１ピン９２＿１と第ｍピン９２＿ｍとに対応するデジタル電圧信号ＤＶＳ、及び第１ピンないし第ｍピン９２＿１〜９２＿ｍにそれぞれ対応するデジタル電圧信号ＤＶＳを積分した結果を用いて、順次に積分されたデジタル電圧信号（図１９のｉｎｔｅｇｒａｔｅｄ  ＤＶＳ）に含まれたセンシングノイズ（ｓｅｎｓｉｎｇ  ｎｏｉｓｅ）を除去することができる。詳細なセンシングノイズの除去は、図１８と図１９とを参照して詳しく説明される。
【００４１】
図５は、図３に示されたセンサ回路ブロックを詳しく示すブロック図である。
図３及び図５を参照すれば、センサ回路ブロック２００は、電流伝達器２１０、ミキサ２３０、正弦波形リサンプラ２５０及び電流−電圧変換器２７０を含みうる。
電流伝達器２１０は、複数の感知ラインＹ１〜Ｙｍに連結された複数本のピン９２＿１〜９２＿ｍから複数の電流信号ＩＳ１〜ＩＳｍを感知して、複数の電流信号ＩＳ１〜ＩＳｍのそれぞれに対応する複数の感知電流信号ＩＳＳ１＿１〜ＩＳＳｍ＿２を生成することができる。電流伝達器２１０は、複数本のピン９２＿１〜９２＿ｍにそれぞれ対応する複数の単位電流伝達器２１０＿１〜２１０＿ｍを含む。
【００４２】
複数の感知電流信号ＩＳＳ１＿１〜ＩＳＳｍ＿２は、第１感知電流信号ＩＳＳ１＿１〜ＩＳＳｍ＿１と第１感知電流信号ＩＳＳ１＿１〜ＩＳＳｍ＿１のそれぞれに対応する第２感知電流信号ＩＳＳ１＿２〜ＩＳＳｍ＿２とを含む。第１感知電流信号ＩＳＳ１＿１〜ＩＳＳｍ＿１のそれぞれの位相は、対応する第２感知電流信号ＩＳＳ１＿２〜ＩＳＳｍ＿２の位相と反対（１８０°の位相差）であり得る。
【００４３】
ミキサ２３０は、複数本のピン９２＿１〜９２＿ｍのうち、２本のピンに対応する感知電流信号ＩＳＳ１＿１〜ＩＳＳｍ＿２を減算して、減算電流信号ＳＩＳ＿１〜ＳＩＳ＿ｍを生成することができる。したがって、減算電流信号ＳＩＳ＿１〜ＳＩＳ＿ｍのそれぞれは、複数の電流信号ＩＳ１〜ＩＳｍのうち、２個の電流信号と関連している信号である。
【００４４】
複数の電流信号ＩＳ１〜ＩＳｍは、共通のノイズ成分、例えば、ディスプレイパネル（図示せず）とタッチスクリーンパネル２０との間の垂直キャパシタンス（ｖｅｒｔｉｃａｌｃａｐａｃｉｔａｎｃｅ）によるノイズ（すなわち、ディスプレイノイズ）、熱ノイズ（ｔｈｅｒｍａｌ  ｎｏｉｓｅ）などを含んでいる。共通のノイズ成分は、互いに隣接する複数の感知ラインＹ１〜Ｙｍから生成された電流信号（例えば、ＩＳ１とＩＳ２）どうしはほぼ同一であり、ミキサ２３０の動作によって、共通のノイズ成分は除去される。これにより、出力電圧信号ＯＵＴ１〜ＯＵＴｍのダイナミックレンジ（ｄｙｎａｍｉｃ  ｒａｎｇｅ）が増加しうる。
【００４５】
実施形態によって、ミキサ２３０は、ミキサ制御信号ＭＣＳによって複数本のピン９２＿１〜９２＿ｍの２本のピンのうち何れか１つに対応する第１感知電流信号ＩＳＳ１＿１〜ＩＳＳｍ＿１と２本のピンのうち他の１つに対応する第２感知電流信号ＩＳＳ１＿２〜ＩＳＳｍ＿２とを合算して、減算電流信号ＳＩＳ＿１〜ＳＩＳ＿ｍを生成することができる。
正弦波形リサンプラ２５０は、減算電流信号ＳＩＳ＿１〜ＳＩＳ＿ｍのそれぞれに正弦波を乗算して、ファイン電流信号ＦＩＳ＿１〜ＦＩＳ＿ｍを生成することができる。正弦波形リサンプラ２５０は、減算電流信号ＳＩＳ＿１〜ＳＩＳ＿ｍのそれぞれに対応する複数の単位正弦波形リサンプラ２５０＿１〜２５０＿ｍを含む。
【００４６】
実施形態によって、正弦波は、変調信号、すなわち、複数の駆動信号ＤＲＶと同じ周波数を有しうる。正弦波形リサンプラ２５０は、減算電流信号ＳＩＳ＿１〜ＳＩＳ＿ｍのそれぞれに変調信号と同じ周波数を有した正弦波を乗算することによって、高周波帯域のノイズを効果的に除去することができる。
電流−電圧変換器２７０は、ファイン電流信号ＦＩＳ＿１〜ＦＩＳ＿ｍからそれぞれに対応する出力電圧信号ＯＵＴ１〜ＯＵＴｍを生成する。電流−電圧変換器２７０は、ファイン電流信号ＦＩＳ＿１〜ＦＩＳ＿ｍのそれぞれに対応する複数の単位電流−電圧変換器２７０＿１〜２７０＿ｍを含む。
【００４７】
また、電流−電圧変換器２７０は、ファイン電流信号ＦＩＳ＿１〜ＦＩＳ＿ｍに含まれた高周波成分を除去することができる。
電流伝達器２１０、ミキサ２３０、正弦波形リサンプラ２５０及び電流−電圧変換器２７０の詳細な動作は、図６ないし図１７を参照して詳しく説明する。
【００４８】
本発明の実施形態によるタッチスクリーンセンサＩＣ３０によれば、電流次元で電流信号どうしの減算を通じて出力信号を生成することによって、共通のノイズ成分が除去され、入出力間のディレイが減少し、ダイナミックレンジが増加しうる。
また、本発明の実施形態によるタッチスクリーンセンサＩＣ３０によれば、正弦波を用いて高周波ノイズが効果的に除去される。
【００４９】
図６は、図５に示された単位電流伝達器を詳しく示すブロック図である。図７は、図６に示された演算増幅器を詳しく示すブロック図である。図８Ａは、図６に示された電流複製回路を詳しく示すブロック図である。図８Ｂは、図８Ａに示された第１スイッチの動作を説明する図である。図９は、図８Ａに示された電流複製回路に印加される複製回路制御信号のタイミング図である。図１０は、図６に示された単位電流伝達器の入出力信号のタイミング図である。
【００５０】
図５及び図６を参照すれば、単位電流伝達器２１０＿１は、演算増幅器２１２＿１及び電流複製回路２１４＿１を含みうる。複数の単位電流伝達器２１０＿１〜２１０＿ｍのうち、１つの単位電流伝達器２１０＿１についてのみ説明するが、残りの単位電流伝達器２１０＿２〜２５０−ｍも実質的に同一である。
【００５１】
演算増幅器２１２＿１は、第１電流信号ＩＳ１を受信する第１入力端子ＩＮ１、基準電圧ＶＳＳを受信する第２入力端子ＩＮ２、及び第１入力端子ＩＮ１と接続される第１出力端子ＯＮ１を含む。第１入力端子ＩＮ１は、反転（ｉｎｖｅｒｔｉｎｇ）端子であり、第２入力端子ＩＮ２は、非反転（ｎｏｎ−ｉｎｖｅｒｔｉｎｇ）端子である。基準電圧ＶＳＳは、例えば、グラウンド電圧（ｇｒｏｕｎｄ  ｖｏｌｔａｇｅ）であり得る。
【００５２】
図７を参照すれば、演算増幅器２１２＿１は、電圧フォロワ（ｖｏｌｔａｇｅ  ｆｏｌｌｏｗｅｒ）と呼称され、第１電流信号ＩＳ１を第１出力端子ＯＮ１に伝送しうる。演算増幅器２１２＿１は、米国特許（ＵＳ７，６５２，５３８、題目；ＣＩＲＣＵＩＴ  ＡＮＤ  ＭＥＴＨＯＤＳ  ＦＯＲ  ＩＭＰＲＯＶＩＮＧ  ＳＬＥＷ  ＲＡＴＥ  ＯＦ  ＤＩＦＦＥＲＥＮＴＩＡＬ  ＡＭＰＬＩＦＩＥＲＳ）の図１で詳しく説明されるので、これについての説明は省略する。
【００５３】
電流複製回路２１４＿１は、演算増幅器２１２＿１から出力される複数の制御電圧、すなわち、第１制御電圧と第２制御電圧ＣＳ１、ＣＳ２とによって第１感知電流信号ＩＳＳ１＿１と第１感知電流信号ＩＳＳ１＿１に対応する第２感知電流信号ＩＳＳ１＿２とを生成する。
【００５４】
図８Ａを参照すれば、電流複製回路２１４＿１は、電源電圧ＶＤＤと基準電圧ＶＳＳとの間に接続された１０個のトランジスタＭ１〜Ｍ１０、複数のバッファＢＰ１、ＢＰ２、及び複数のスイッチＳＷ１〜ＳＷ３を含む。電源電圧ＶＤＤと接続されたトランジスタＭ１〜Ｍ５は、ＰＭＯＳトランジスタとして具現され、基準電圧ＶＳＳと接続されたトランジスタＭ６〜Ｍ１０は、ＮＭＯＳトランジスタとして具現可能である。説明の便宜上、複数のスイッチグループＳＷ１〜ＳＷ３が省略されたと仮定し、第１感知電流信号ＩＳＳ１＿１と第２感知電流信号ＩＳＳ１＿２との生成について説明する。
【００５５】
複数のトランジスタＭ１〜Ｍ１０は、それぞれのサイズ（長さと幅）は互いに同じである。第１トランジスタＭ１ないし第３トランジスタＭ３は、第１制御電圧ＣＳ１によって制御され、第６トランジスタＭ６ないし第８トランジスタＭ８は、第２制御電圧ＣＳ２によって制御される。したがって、第１トランジスタＭ１に流れる電流ＩＭ１は、第２トランジスタＭ２に流れる電流ＩＭ２及び第３トランジスタＭ３に流れる電流ＩＭ３と同じであり、第６トランジスタＭ６に流れる電流ＩＭ６は、第７トランジスタＭ７に流れる電流ＩＭ７及び第８トランジスタＭ８に流れる電流ＩＭ８と同じである。
【００５６】
第１入力端子ＩＮ１から第１出力端子ＯＮ１に流れる電流ＩＳ１は、第１トランジスタＭ１に流れる電流ＩＭ１から第６トランジスタＭ６に流れる電流ＩＭ６の差は同じである。これは、数式１のように表すことができる。
【００５７】
［数式１］
ＩＳ１＝ＩＭ６−ＩＭ１
【００５８】
第２出力端子ＯＮ２から出力される第１感知電流信号ＩＳＳ１＿１は、第２トランジスタＭ２に流れる電流ＩＭ２から第７トランジスタＭ７に流れる電流ＩＭ７の差は同じである。これは、数式２のように表すことができる。
【００５９】
［数式２］
ＩＳＳ１＿１＝ＩＭ７−ＩＭ２＝ＩＳ１
【００６０】
第１トランジスタＭ１と第６トランジスタＭ６に第２トランジスタＭ２と第７トランジスタＭ７を付け加えて第１電流信号ＩＳ１を感知することによって、第１電流信号ＩＳ１と同じ位相を有する第１感知電流信号ＩＳＳ１＿１が抽出（ｅｘｔｒａｃｔ）される。
第１制御電圧ＣＳ１に応答して、第３トランジスタＭ３に流れる電流ＩＭ３をコピーした電流ＩＭ９が第９トランジスタＭ９に流れる。
【００６１】
第２制御電圧ＣＳ２に応答して、第８トランジスタＭ８に流れる電流ＩＭ８をコピーした電流ＩＭ４が第４トランジスタＭ４に流れる。
第３出力端子ＯＮ３から出力される第２感知電流信号ＩＳＳ１＿２は、数式３のように表すことができる。
【００６２】
［数式３］
ＩＳＳ１＿２＝ＩＭ１０−ＩＭ５
【００６３】
第１トランジスタＭ１に流れる電流ＩＭ１は、第３トランジスタＭ３に流れる電流ＩＭ３と同じであり、第６トランジスタＭ６に流れる電流ＩＭ６は、第８トランジスタＭ８に流れる電流ＩＭ８と同じである。
【００６４】
電流ミラーリングによって、電流ＩＭ１０は、電流ＩＭ３と同じであり、電流ＩＭ５は、電流ＩＭ８と同じである。したがって、電流ＩＭ１０と電流ＩＭ１は、互いに同じであり、電流ＩＭ５と電流ＩＭ６は、互いに同じである。複数のバッファＢＰ１、ＢＰ２は、それぞれのノードＡ、Ｂを共通電圧ＶＣＭで固定する役割を行う。これにより、電流ミラーリングに対する外部のノイズの流入が最小化される。
したがって、第２感知電流信号ＩＳＳ２＿１は、数式４のように表すことができる。
【００６５】
［数式４］
ＩＳＳ２＿１＝ＩＭ１−ＩＭ１０＝−ＩＳ１
【００６６】
第１トランジスタＭ１と第６トランジスタＭ６に複数のトランジスタＭ３〜Ｍ５、Ｍ８〜Ｍ１０を付け加えて第１電流信号ＩＳ１を感知することによって、第１電流信号ＩＳ１と反対の位相を有する第２感知電流信号ＩＳＳ１＿２が抽出される。
複数のスイッチＳＷ１〜ＳＷ４は、第１スイッチＳＷ１ないし第４スイッチＳＷ４を含む。複製回路制御信号ＣＣＳは、第１スイッチ制御信号ＳＷ＿Ｃ１ないし第４スイッチ制御信号ＳＷ＿Ｃ４を含む。
【００６７】
図８Ｂを参照すれば、第１スイッチＳＷ１は、第１スイッチ制御信号ＳＷ＿Ｃ１がローレベルＬＬである時、第１スイッチＳＷ１は、電流経路を（ａ）に示したように形成しうる。また、第１スイッチＳＷ１は、第１スイッチ制御信号ＳＷ＿Ｃ１がハイレベルＨＬである時、第１スイッチＳＷ１は、電流経路を（ｂ）に示したように形成しうる。
第２スイッチＳＷ２は、第２スイッチ制御信号ＳＷ＿Ｃ２によって第１スイッチＳＷ１と実質的に同じ方式で動作することができる。
【００６８】
第３スイッチＳＷ３は、第１出力端子ＯＮ１と連結された電流経路及びノードＢ（上部のＳＷ３の場合）またはノードＡ（下部のＳＷ３の場合）と連結された電流経路を第３スイッチ制御信号ＳＷ＿Ｃ３によって第１スイッチＳＷ１と実質的に同じ方式で変更することができる。第４スイッチＳＷ４は、第３出力端子ＯＮ３と連結された電流経路及びノードＡ（上部のＳＷ４の場合）またはノードＢ（下部のＳＷ４の場合）と連結された電流経路を第４スイッチ制御信号ＳＷ＿Ｃ４によって第１スイッチＳＷ１と実質的に同じ方式で変更することができる。
【００６９】
図９を参照すれば、第１駆動信号ＤＲＶ１の半周期間に印加される第１スイッチ制御信号ＳＷ＿Ｃ１ないし第４スイッチ制御信号ＳＷ＿Ｃ４の一実施形態が表われている。
例えば、ローレベルＬＬを０とし、ハイレベルＨＬを１と仮定する。順序（ｏｒｄｅｒ）は、各タイミングで第１スイッチ制御信号ＳＷ＿Ｃ１ないし第４スイッチ制御信号ＳＷ＿Ｃ４のそれぞれのレベルの組合わせである。例えば、０００１は、第１スイッチ制御信号ＳＷ＿Ｃ１ないし第３スイッチ制御信号ＳＷ＿Ｃ３が０であり、第４スイッチ制御信号ＳＷ＿Ｃ４が１であることを意味する。
【００７０】
電圧を有する複数のトランジスタＭ１〜Ｍ１０の図８Ａで説明された役割を互いに変わりうる。例えば、順序が１０００である時、第１スイッチＳＷ１は、図８Ｂの（ｂ）のような状態なので、第１トランジスタＭ１と第２トランジスタＭ２、及び第６トランジスタＭ６と第７トランジスタＭ７の役割は互いに変わりうる。この際、役割が互いに変わるということは、第１トランジスタＭ１が第１出力端子ＯＮ１ではない第２出力端子ＯＮ２に連結され、第２トランジスタＭ２が第２出力端子ＯＮ２ではない第１出力端子ＯＮ１に連結されることによって、第１トランジスタＭ１を流れる電流ＩＭ１と第２トランジスタＭ２を流れる電流ＩＭ２の数式１と数式２とでの役割が変わることを意味する。
【００７１】
理論的には、複数のトランジスタＭ１〜Ｍ１０は、それぞれのサイズ（長さと幅）が互いに同じではなければならないが、工程上の偏差によって異なるサイズを有しうる。しかし、順序が第１駆動信号ＤＲＶ１の半周期間に順次に変更されて、同じゲート電圧を有する複数のトランジスタＭ１〜Ｍ１０の役割が互いに変わることによって、複数のトランジスタＭ１〜Ｍ１０のサイズに対する誤差による第１感知電流信号ＩＳＳ１＿１及び第２感知電流信号ＩＳＳ１＿２のノイズを最小化することができる。
【００７２】
図１０を参照すれば、第１駆動時間ＴＤ１の間に第１駆動ラインＸ１に第１駆動信号が印加される場合、仮想キャパシタンスＭＣを経て第１電流信号ＩＳ１が第１感知ラインＹ１を通じて出力される。第１感知電流信号ＩＳＳ１＿１の位相は、第１電流信号ＩＳ１の位相と同一であり、第２感知電流信号ＩＳＳ１＿２の位相は、第１電流信号ＩＳ１の位相と反対である。説明の便宜上、第１駆動信号ＤＲＶ１がタッチスクリーンパネル２０を経て第１電流信号ＩＳ１に出力される間のディレイはないと仮定する。
【００７３】
図１１は、図５に示されたミキサを詳しく示すブロック図である。図１２は、図１１に示されたミキサのシングルモードでの動作を説明する図である。図１３は、図１１に示されたミキサの差動モードでの動作を説明する図である。
図５及び図１１を参照すれば、ミキサ２３０は、第１ミキシングスイッチＸＳＷ１、第２ミキシングスイッチＸＳＷ２、第１モードスイッチＭＳＷ１、第２モードスイッチＭＳＷ１及び複数のセッティングスイッチＳＳＷ１〜ＳＳＷＰを含みうる。図１１は、電流伝達器２１０が５個の単位電流伝達器２１０＿１〜２１０＿５を含む場合（すなわち、ｍ＝５）を仮定して説明される。
【００７４】
第１ミキシングスイッチＸＳＷ１は、第１感知電流信号ＩＳＳ１＿１、ＩＳＳ２＿１、ＩＳＳ３＿１、ＩＳＳ４＿１及びＩＳＳ５＿１を受信するように連結された場合、第１モードスイッチＭＳＷ１及び第２モードスイッチＭＳＷ２に連結される。
第１ミキシングスイッチＸＳＷ１は、第２感知電流信号ＩＳＳ１＿２、ＩＳＳ２＿２、ＩＳＳ３＿２、ＩＳＳ４＿２及びＩＳＳ５＿２を受信するように連結された場合、第２モードスイッチＭＳＷ２に連結される。
【００７５】
第２ミキシングスイッチＸＳＷ２は、第１感知電流信号ＩＳＳ１＿１、ＩＳＳ２＿１、ＩＳＳ３＿１、ＩＳＳ４＿１及びＩＳＳ５＿１を受信するように連結された場合、第２モードスイッチＭＳＷ２に連結される。第２ミキシングスイッチＸＳＷ２は、第２感知電流信号ＩＳＳ１＿２、ＩＳＳ２＿２、ＩＳＳ３＿２、ＩＳＳ４＿２及びＩＳＳ５＿２を受信するように連結された場合、第１モードスイッチＭＳＷ１、第２モードスイッチＭＳＷ２及び正弦波形リサンプラ２５０に連結される。
【００７６】
図５に示されたミキサ制御信号ＭＣＳは、第１ミキシングスイッチＸＳＷ１、第２ミキシングスイッチＸＳＷ２、第１モードスイッチＭＳＷ１、第２モードスイッチＭＳＷ２及び複数のセッティングスイッチＳＳＷ１〜ＳＳＷＰを制御するための信号を含む。
第１ミキシングスイッチＸＳＷ１と第２ミキシングスイッチＸＳＷ２は、それぞれ第１ミキシングスイッチ信号ＳＷ＿Ｘ１と第２ミキシングスイッチ信号ＳＷ＿Ｘ２とによってオープン（ｏｐｅｎ）または短絡（ｓｈｏｒｔ）される。第１ミキシングスイッチ信号ＳＷ＿Ｘ１は、複数の駆動信号ＤＲＶがハイレベルである時、ハイレベルになり、ローレベルである時、ローレベルになりうる。第２ミキシングスイッチ信号ＳＷ＿Ｘ２は、複数の駆動信号ＤＲＶがハイレベルである時、ローレベルになり、ローレベルである時、ハイレベルになりうる。第１ミキシングスイッチ信号ＳＷ＿Ｘ１と第２ミキシングスイッチ信号ＳＷ＿Ｘ２は、復調信号と呼ばれる。
【００７７】
図３で説明したように、コントロールロジック３００は、ミキサ制御信号ＭＣＳの生成時、位相遅延情報を用いて複数の駆動信号ＤＲＶとミキサ制御信号ＭＣＳとのディレイを補償することができる。
第１モードスイッチＭＳＷ１は、第１感知電流信号ＩＳＳ１＿１、ＩＳＳ２＿１、ＩＳＳ３＿１、ＩＳＳ４＿１及びＩＳＳ５＿１を受信するように連結された第１ミキシングスイッチＸＳＷ１及び第２感知電流信号ＩＳＳ１＿２、ＩＳＳ２＿２、ＩＳＳ３＿２、ＩＳＳ４＿２及びＩＳＳ５＿２を受信するように連結された第２ミキシングスイッチＸＳＷ２に連結される。
【００７８】
第２モードスイッチＭＳＷ２のそれぞれは、何れか１つの第１感知電流信号（ＩＳＳ１＿１、ＩＳＳ２＿１、ＩＳＳ３＿１、ＩＳＳ４＿１及びＩＳＳ５＿１のうち何れか１つ）を受信するように連結された第１ミキシングスイッチＸＳＷ１及び第１感知電流信号と対応する第２感知電流信号（ＩＳＳ１＿２、ＩＳＳ２＿２、ＩＳＳ３＿２、ＩＳＳ４＿２及びＩＳＳ５＿２のうち何れか１つ）を受信するように連結された第２ミキシングスイッチＸＳＷ２に連結される。
【００７９】
また、第２モードスイッチＭＳＷ２のそれぞれは、何れか１つの第１感知電流信号以外の第１感知電流信号（ＩＳＳ１＿１、ＩＳＳ２＿１、ＩＳＳ３＿１、ＩＳＳ４＿１及びＩＳＳ５＿１のうち何れか１つ）を受信するように連結された第２ミキシングスイッチＸＳＷ２及び何れか１つの第１感知電流信号以外の第１感知電流信号と対応する第２感知電流信号（ＩＳＳ１＿２、ＩＳＳ２＿２、ＩＳＳ３＿２、ＩＳＳ４＿２及びＩＳＳ５＿２のうち何れか１つ）を受信するように連結された第１ミキシングスイッチＸＳＷ１に連結される。
【００８０】
すなわち、第２モードスイッチＭＳＷ２のそれぞれは、隣接するチャネルから受信される第１感知電流信号ＩＳＳ１＿１〜ＩＳＳ５＿１と第２感知電流信号ＩＳＳ１＿２〜ＩＳＳ５＿２とを合算するか（例えば、第１単位電流伝達器２１０＿１から出力されたＩＳＳ１＿２と第２単位電流伝達器２１０＿２から出力されたＩＳＳ２＿１）、最外郭チャネルから受信される第１感知電流信号ＩＳＳ１＿１またはＩＳＳ５＿１と第２感知電流信号ＩＳＳ１＿２またはＩＳＳ５＿２とを合算するように（例えば、第１単位電流伝達器２１０＿１から出力されたＩＳＳ１＿１と第５単位電流伝達器２１０＿５から出力されたＩＳＳ５＿２）連結される。
【００８１】
第１モードスイッチＭＳＷ１と第２モードスイッチＭＳＷ２は、それぞれ第１モードスイッチ信号ＳＷ＿Ｍ１と第２モードスイッチ信号ＳＷ＿Ｍ２とによってオープンまたは短絡される。例えば、ホストコントローラ４０の要請またはコントロールロジック回路３００の判断によって、第１モードスイッチ信号ＳＷ＿Ｍ１と第２モードスイッチ信号ＳＷ＿Ｍ２とが決定される。第１モードスイッチ信号ＳＷ＿Ｍ１と第２モードスイッチ信号ＳＷ＿Ｍ２は、モード選択信号と呼ばれる。
【００８２】
実施形態によって、タッチスクリーンパネル２０が含む複数の感知ラインＹ１〜Ｙｍの個数は変わりうるので、互換性を高めるために、ミキサ２３０は、複数のセッティングスイッチＳＳＷ１〜ＳＳＷＰをさらに含みうる。例えば、複数の感知ラインＹ１〜Ｙｍの個数が１０個である場合、セッティング信号ＳＥＴ１〜ＳＥＴ６によって、第１セッティングスイッチＳＳＷ１ないし第５セッティングスイッチＳＳＷ５は、オープンになり、第６セッティングスイッチＳＳＷ６は、短絡される。複数のセッティングスイッチＳＳＷ１〜ＳＳＷＰは、互換性を高めるためのものであって、タッチスクリーンセンサＩＣ３０が接続されるタッチスクリーンパネル２０が決定されれば、複数のセッティングスイッチＳＳＷ１〜ＳＳＷＰの状態は、一定に保持される。図１１では、たとえば第５チャンネルに対応する第１セッティングスイッチＳＳＷ１と、それ以外のセッティングスイッチＳＳＷ２〜ＳＳＷｐと、を含むが、本発明の範囲は、これに限定されるものではない。
【００８３】
図１２を参照すれば、第２駆動時間ＴＤ２で、第１モードスイッチ信号ＳＷ＿Ｍ１がハイレベルであり、第２モードスイッチ信号ＳＷ＿Ｍ２がローレベルである場合、ミキサ２３０は、シングルモード（ｓｉｎｇｌｅ  ｍｏｄｅ）で動作する。説明の便宜上、第１減算電流信号ＳＩＳ＿１と第２減算電流信号ＳＩＳ＿２とについてのみ説明する。
【００８４】
第１モードスイッチ信号ＳＷ＿Ｍ１、第２モードスイッチ信号ＳＷ＿Ｍ２、第１ミキシングスイッチ信号ＳＷ＿Ｘ１及び第２ミキシングスイッチ信号ＳＷ＿Ｘ２によって、第１減算電流信号ＳＩＳ＿１は、第１感知電流信号ＩＳＳ１＿１と第２感知電流信号ＩＳＳ１＿２とのうち、正の第１ピーク値Ｐｅａｋ１を有する区間がミキシングされて出力される。
【００８５】
同様に、第１モードスイッチ信号ＳＷ＿Ｍ１、第２モードスイッチ信号ＳＷ＿Ｍ２、第１ミキシングスイッチ信号ＳＷ＿Ｘ１及び第２ミキシングスイッチ信号ＳＷ＿Ｘ２によって、第２減算電流信号ＳＩＳ＿２は、第１感知電流信号ＩＳＳ２＿１と第２感知電流信号ＩＳＳ２＿２とのうち、正の第２ピーク値Ｐｅａｋ２を有する区間がミキシングされて出力される。
【００８６】
図１３を参照すれば、第３駆動時間ＴＤ３で、第１モードスイッチ信号ＳＷ＿Ｍ１がローレベルであり、第２モードスイッチ信号ＳＷ＿Ｍ２がハイレベルである場合、ミキサ２３０は、差動モード（ｄｉｆｆｅｒｅｎｔｉａｌ  ｍｏｄｅ）で動作する。説明の便宜上、第１減算電流信号ＳＩＳ＿１と第２減算電流信号ＳＩＳ＿２とについてのみ説明する。
第２ピーク値Ｐｅａｋ２は、第１ピーク値Ｐｅａｋ１よりも大きく、第５ピーク値Ｐｅａｋ５よりは小さいと仮定する。
【００８７】
第１モードスイッチ信号ＳＷ＿Ｍ１、第２モードスイッチ信号ＳＷ＿Ｍ２、第１ミキシングスイッチ信号ＳＷ＿Ｘ１及び第２ミキシングスイッチ信号ＳＷ＿Ｘ２によって、第１減算電流信号ＳＩＳ＿１は、第１単位電流伝達器２１０＿１が出力する感知電流信号ＩＳＳ１＿１またはＩＳＳ１＿２または第２単位電流伝達器２１０＿２が出力する感知電流信号ＩＳＳ２＿１またはＩＳＳ２＿２が合算された信号として出力される。
【００８８】
第１モードスイッチ信号ＳＷ＿Ｍ１、第２モードスイッチ信号ＳＷ＿Ｍ２、第１ミキシングスイッチ信号ＳＷ＿Ｘ１及び第２ミキシングスイッチ信号ＳＷ＿Ｘ２によって、第２減算電流信号ＳＩＳ＿２は、第１単位電流伝達器２１０＿１が出力する感知電流信号ＩＳＳ１＿１またはＩＳＳ１＿２または第５単位電流伝達器２１０＿５が出力する感知電流信号ＩＳＳ５＿１またはＩＳＳ５＿２が合算された信号として出力される。
【００８９】
図１４は、図５に示された単位正弦波形リサンプラを示す図である。図１５は、図１４に示された単位正弦波形リサンプラの動作を説明するタイミング図である。
図５及び図１４を参照すれば、単位正弦波形リサンプラ２５０−１は、複数のトランジスタＳＸ１〜ＳＸ１８を含みうる。複数の単位正弦波形リサンプラ２５０−１〜２５０−ｍのうち、１つの単位正弦波形リサンプラ２５０−１についてのみ説明するが、残りの単位正弦波形リサンプラ２５０−２〜２５０−ｍも実質的に同一である。
【００９０】
複数のトランジスタＳＸ１〜ＳＸ１８は、それぞれＮＭＯＳトランジスタとして具現可能である。複数のトランジスタＳＸ１〜ＳＸ１０は、ゲート電圧で電源電圧ＶＤＤを供給され、残りの複数のトランジスタＳＸ１１〜ＳＸ１８は、正弦波形信号ＳＰＳ、すなわち、正弦波形デジタル信号ＬＯ［３］〜ＬＯ［０］をゲート電圧で供給される。正弦波形信号ＳＰＳは、４種の正弦波形デジタル信号ＬＯ［３］〜ＬＯ［０］を含むものとして説明されるが、本発明の範囲は、これに限定されるものではない。
複数のトランジスタＳＸ１〜ＳＸ１８が連結された構造は、電圧分配法則を利用した通常のＲ−２Ｒ梯形デジタル−アナログ変換器（Ｒ−２Ｒ  ｌａｄｄｅｒ  ｄｉｇｉｔａｌ−ａｎａｌｏｇ  ｃｏｎｖｅｒｔｅｒ；Ｒ−２Ｒ  ｌａｄｄｅｒ  ＤＡＣ）の構造による。
【００９１】
ゲート電圧で電源電圧ＶＤＤを供給される複数のトランジスタＳＸ１〜ＳＸ１０のそれぞれは、１つの抵抗として動作する。正弦波形デジタル信号ＬＯ［３］〜ＬＯ［０］をゲート電圧で供給される複数のトランジスタＳＸ１１〜ＳＸ１８は、正弦波形デジタル信号ＬＯ［３］〜ＬＯ［０］によって抵抗として動作して、電流を第１電流−電圧変換器２７０−１または共通電圧ＶＣＭで出力することができる。Ｒ−２Ｒ梯形デジタル−アナログ変換器の構造で抵抗を複数のトランジスタＳＸ１〜ＳＸ１８に代替したことは、タッチスクリーンセンサＩＣ３０の集積度を高めるためである。
【００９２】
例えば、ＬＯ［３］がローレベル（例えば、０Ｖ）である時、トランジスタＳＸ１１は、オフ（ｏｆｆ）になり、トランジスタＳＸ１２は、オン（ｏｎ）になる。これにより、電流がトランジスタＳＸ１２を通じて共通電圧ＶＣＭで出力される。逆に、ＬＯ［３］がハイレベル（例えば、ＶＤＤ）である時、トランジスタＳＸ１２は、オフになり、トランジスタＳＸ１１は、オンになる。これにより、電流がトランジスタＳＸ１１を通じて第１電流−電圧変換器２７０−１に出力される。
【００９３】
図１５を参照すれば、第１減算電流信号ＳＩＳ＿１が、図１３の第３駆動時間ＴＤ３での第１減算電流信号ＳＩＳ＿１であることを前提にして説明する。
正弦波形Ｓｉｎｅは、トランジスタＳＸ１に第１減算電流信号ＳＩＳ＿１ではない一定の電流（例えば、１０Ｖ）が印加されたと仮定する時の第１ファイン電流信号ＦＩＳ＿１を図示したものである。すなわち、図１５に示された正弦波形Ｓｉｎｅは、正弦波形デジタル信号ＬＯ［３］〜ＬＯ［０］によって生成される電流レベルが合計４個であり、正弦波形に近く順次に電流レベルが変更される時の波形を図示したものである。
【００９４】
第１減算電流信号ＳＩＳ＿１がトランジスタＳＸ１に印加される場合、第１減算電流信号ＳＩＳ＿１と正弦波形Ｓｉｎｅとが乗算される結果が発生する。正弦波形Ｓｉｎｅは、第１駆動信号ＤＲＶ１と同じ周波数（例えば、４００ｋＨｚ）を有し、これにより、第１ファイン電流信号ＦＩＳ＿１は、第１減算電流信号ＳＩＳ＿１に含まれた成分のうち、第１駆動信号ＤＲＶ１と同じ周波数の成分とＤＣ成分のみを含む。すなわち、単位正弦波形リサンプラ２５０−１は、第１減算電流信号ＳＩＳ＿１に含まれた第１駆動信号ＤＲＶ１と同じ周波数以外の周波数帯域に存在するノイズが除去された第１ファイン電流信号ＦＩＳ＿１を生成することができる。
【００９５】
図１６は、図５に示された単位電流−電圧変換器を示す図である。図１７は、図１６に示された単位電流−電圧変換器の動作を説明するタイミング図である。
図５及び図１６を参照すれば、単位電流−電圧変換器２７０−１は、第１キャパシタＣ１、第１抵抗Ｒ１及び演算増幅器２７２＿１を含みうる。複数の単位電流−電圧変換器２７０−１〜２７０＿ｍのうち、１つの単位電流−電圧変換器２７０−１についてのみ説明するが、残りの単位電流−電圧変換器２７０−２〜２５０−ｍも実質的に同一である。
【００９６】
第１キャパシタＣ１と第１抵抗Ｒ１は、演算増幅器２７２＿１の反転入力端と出力端との間にフィードバック経路を構成する。演算増幅器２７２＿１は、反転入力端に第１ファイン電流信号ＦＩＳ＿１を入力され、非反転入力端に基準電圧ＶＳＳを入力される。
すなわち、第１キャパシタＣ１、第１抵抗Ｒ１及び演算増幅器２７２＿１は、ローパスフィルタ（ｌｏｗ  ｐａｓｓ  ｆｉｌｔｅｒ）で動作し、第１キャパシタＣ１及び第１抵抗Ｒ１のそれぞれの値によって、遮断周波数（ｃｕｔ−ｏｆｆ  ｆｒｅｑｕｅｎｃｙ）と変換利得（ｃｏｎｖｅｒｓｉｏｎ  ｇａｉｎ）とが決定される。
【００９７】
図１７を参照すれば、第１ファイン電流信号ＦＩＳ＿１が、図１５の第３駆動時間ＴＤ３での第１ファイン電流信号ＦＩＳ＿１であることを前提にして説明する。
第１出力電圧信号ＯＵＴ１は、第１ファイン電流信号ＦＩＳ＿１に含まれた第１駆動信号ＤＲＶ１と同じ周波数（例えば、４００ｋＨｚ）の成分が除去され、ＤＣ成分のみを含む信号である。
したがって、単位電流−電圧変換器２７０−１は、ローパスフィルタと電流−電圧変換機能を同時に行って、第１ファイン電流信号ＦＩＳ＿１に対応する第１出力電圧信号ＯＵＴ１を生成することができる。
【００９８】
図１８は、図３に示されたＭＣＵの動作を説明するグラフである。図１９は、図１８に示されたグラフによるＭＣＵの動作を説明する図表である。
図３、図５ないし図１８を参照すれば、ＭＣＵ５２０の動作を説明するグラフは、説明の便宜上、タッチスクリーンパネル２０が５個の感知ラインＹ１〜Ｙ５を含むと仮定して説明する。
【００９９】
タッチ分布（Ｔｏｕｃｈ  Ｄｉｓｔｒｉｂｕｔｉｏｎ）は、指または伝導性の物質が静電式タッチスクリーンパネル２０をタッチする時、５個の感知ラインＹ１〜Ｙ５に分布されるタッチスクリーンパネル２０の相互静電容量プロファイルの変化量に対応する。
デジタル電流分布（Ｄｉｇｉｔａｌ  Ｃｕｒｒｅｎｔ  Ｄｉｓｔｒｉｂｕｔｉｏｎ）は、タッチ分布に対応するデジタル電流レベル（例えば、０、Ｃ１、Ｃ２、Ｃ３）の分布を表わす。
【０１００】
図１９を参照すれば、差動モードで、センサ回路ブロック２００とアナログ−デジタル変換器ブロック５１０とを経て出力されるデジタル電圧信号ＤＶＳ１〜ＤＶＳ５がそれぞれ表われている。
【０１０１】
それぞれのデジタル電圧信号ＤＶＳ１〜ＤＶＳ５は、デジタル電流レベル（例えば、０、Ｃ１、Ｃ２、Ｃ３）に電流−電圧変換利得（ｃｕｒｒｅｎｔ−ｖｏｌｔａｇｅ  ｃｏｎｖｅｒｓｉｏｎ  ｇａｉｎ、Ｚｄ）を乗算値の差を含む。また、それぞれのデジタル電圧信号ＤＶＳ１〜ＤＶＳ５は、差動モードによって共通のノイズ（ｃｏｍｍｏｎ  ｎｏｉｓｅ）成分は除去された状態であるが、センサ回路ブロック２００とアナログ−デジタル変換器ブロック５１０とから発生するセンシングノイズ（ｓｅｎｓｉｎｇ  ｎｏｉｓｅ、Ｅ）成分を含む。それぞれのデジタル電圧信号ＤＶＳ１〜ＤＶＳ５に含まれたセンシングノイズ（Ｅ）は、同じ値を有すると仮定する。
【０１０２】
ＭＣＵ５２０は、デジタル電圧信号ＤＶＳ１〜ＤＶＳ５を順次に積分して、順次に積分されたデジタル電圧信号（ｉｎｔｅｇｒａｔｅｄ  ＤＶＳ）を生成することができる。この際、ＭＣＵ５２０は、基準感知ラインを設定（図１９では、Ｙ１）し、基準感知ラインから出力されたデジタル電圧信号を任意の値（図１９では、０）で設定することができる。
【０１０３】
ＭＣＵ５２０は、後述するセンシングノイズ（Ｅ）を補償した後、基準感知ラインのデジタル電圧信号の値で設定された任意の値を用いて、それぞれのタッチ電圧信号ＴＶＳを補正することができる。例えば、任意の値を０にした時、順次に積分されたデジタル電圧信号のうち何れか１つが負の値が出る場合、この負の値と任意の値である０を用いて、それぞれのタッチ電圧信号ＴＶＳを補正することができる。
【０１０４】
ＭＣＵ５２０は、Ｙ１ないしＹ５に対応するデジタル電圧信号ＤＶＳ１〜ＤＶＳ５をいずれも積分した結果、すなわち、（０）＊Ｚｄ＋Ｅ＋（Ｃ１）＊Ｚｄ＋Ｅ＋（Ｃ２−Ｃ１）＊Ｚｄ＋Ｅ＋（Ｃ３−Ｃ２）＊Ｚｄ＋Ｅ＋（０−Ｃ３）＊Ｚｄ＋Ｅ＝５Ｅを生成することができる。ＭＣＵ５２０は、この積分した結果（５Ｅ）に積分順序による加重値を付与したエラー補償値（ｅｒｒｏｒ  ｃｏｍｐｅｎｓａｔｉｏｎ）を生成することができる。
ＭＣＵ５２０は、順次に積分されたデジタル電圧信号からエラー補償値を減算して、最終値（ｆｉｎａｌ  ｖａｌｕｅ）を計算することができる。
【０１０５】
図３で説明したように、タッチ電圧信号ＴＶＳは、タッチが発生したＸ座標とＹ座標、及びそれぞれの座標に対するタッチレベルについての情報を含む。タッチが発生したＸ座標とＹ座標は、最終値が該当する位置（例えば、第３駆動ラインＸ３を駆動した時、第３感知ラインＹ３に対応する最終値がＣ１＊Ｚｄである場合（３、３））に該当し、最終値は、それぞれの座標に対するタッチレベル（例えば、（３、３）の場合、Ｃ１＊Ｚｄ）についての情報に該当する。
【０１０６】
図２０は、図３に示されたタッチスクリーンセンサＩＣ３０の動作方法を説明するフローチャートである。
図１、図３、図５及び図２０を参照すれば、複数本のピン９２＿１〜９２＿ｍは、タッチスクリーンパネル２０の複数の駆動ラインＸ１〜Ｘｎに印加された変調信号、すなわち、複数の駆動信号ＤＲＶに応答して生成される複数の電流信号ＩＳ１〜ＩＳｍをそれぞれ受信することができる（ステップＳ２００）。
【０１０７】
電流伝達器２１０は、複数の感知ラインＹ１〜Ｙｍに連結された複数本のピン９２＿１〜９２＿ｍから受信される複数の電流信号ＩＳ１〜ＩＳｍを感知して、複数の電流信号ＩＳ１〜ＩＳｍのそれぞれに対応する複数の感知電流信号ＩＳＳ１＿１〜ＩＳＳｍ＿２を生成することができる（ステップＳ２１０）。
【０１０８】
複数の感知電流信号ＩＳＳ１＿１〜ＩＳＳｍ＿２は、第１感知電流信号ＩＳＳ１＿１〜ＩＳＳｍ＿１と第１感知電流信号ＩＳＳ１＿１〜ＩＳＳｍ＿１のそれぞれに対応する第２感知電流信号ＩＳＳ１＿２〜ＩＳＳｍ＿２とを含む。第１感知電流信号ＩＳＳ１＿１〜ＩＳＳｍ＿１のそれぞれの位相は、対応する第２感知電流信号ＩＳＳ１＿２〜ＩＳＳｍ＿２の位相と反対であり得る。
【０１０９】
ミキサ２３０は、複数本のピン９２＿１〜９２＿ｍのうち、２本のピン、すなわち、２個のチャネルに対応する感知電流信号ＩＳＳ１＿１〜ＩＳＳｍ＿２を減算して、減算電流信号ＳＩＳ＿１〜ＳＩＳ＿ｍを生成することができる（ステップＳ２２０）。この２本のピンは、それぞれ互いに隣接するチャネルに対応するピンであるか、最外郭チャネルに該当するピンであり得る。
【０１１０】
ミキサ２３０は、ミキサ制御信号ＭＣＳによって複数本のピン９２＿１〜９２＿ｍの２本のピンのうち何れか１つに対応する第１感知電流信号ＩＳＳ１＿１〜ＩＳＳｍ＿１と２本のピンのうち他の１つに対応する第２感知電流信号ＩＳＳ１＿２〜ＩＳＳｍ＿２とを合算して、減算電流信号ＳＩＳ＿１〜ＳＩＳ＿ｍを生成することができる。
【０１１１】
正弦波形リサンプラ２５０は、減算電流信号ＳＩＳ＿１〜ＳＩＳ＿ｍのそれぞれに正弦波を乗算して、ファイン電流信号ＦＩＳ＿１〜ＦＩＳ＿ｍを生成することができる（ステップＳ２３０）。電流−電圧変換器２７０は、ファイン電流信号ＦＩＳ＿１〜ＦＩＳ＿ｍからそれぞれに対応する出力電圧信号ＯＵＴ１〜ＯＵＴｍを生成する（ステップＳ２４０）。電流−電圧変換器２７０は、ファイン電流信号ＦＩＳ＿１〜ＦＩＳ＿ｍに含まれた高周波成分を除去することができる。
【０１１２】
本発明は、図面に示された一実施形態を参考にして説明されたが、これは例示的なものに過ぎず、当業者ならば、これより多様な変形及び均等な他の実施形態が可能であるという点を理解できるであろう。したがって、本発明の真の技術的保護範囲は、特許請求の範囲の技術的思想によって決定されるべきである。
【産業上の利用可能性】
【０１１３】
本発明は、タッチスクリーンセンサ集積回路、その動作方法、及びそれを含むシステムに利用される。
【符号の説明】
【０１１４】
１０：システム
２００：センサ回路ブロック
２０：タッチスクリーンパネル
３００：コントロールロジック回路
３０：タッチスクリーンセンサ集積回路
５１０：ＡＤＣブロック
４０：ホストコントローラ
５２０：ＭＣＵ
１００：ドライバ回路ブロック
【図１】
2015076103.tif 000003
【図２】
2015076103.tif 000004
【図３】
2015076103.tif 000005
【図４】
2015076103.tif 000006
【図５】
2015076103.tif 000007
【図６】
2015076103.tif 000008
【図７】
2015076103.tif 000009
【図８Ａ】
2015076103.tif 000010
【図８Ｂ】
2015076103.tif 000011
【図９】
2015076103.tif 000012
【図１０】
2015076103.tif 000013
【図１１】
2015076103.tif 000014
【図１２】
2015076103.tif 000015
【図１３】
2015076103.tif 000016
【図１４】
2015076103.tif 000017
【図１５】
2015076103.tif 000018
【図１６】
2015076103.tif 000019
【図１７】
2015076103.tif 000020
【図１８】
2015076103.tif 000021
【図１９】
2015076103.tif 000022
【図２０】
2015076103.tif 000023